(57)【要約】【課題】透明性が低下することがなく、しかも作業の中断時間を短くして作業を直ちに続行することができるカバー部材付きゴーグル及び眼用保護具を提供する。【解決手段】レンズ部の前面を覆うカバー部材２を備えたカバー部材付きゴーグルであって、カバー部材２は、ゴーグル３に取り付けられるカバー本体６と、カバー本体６に形成される開口６Ｋを閉じるとともに前方を視認可能な材料で構成される板状部材７と、を備え、板状部材７は、レンズ部の左右端から左右方向外側に突出するように横長状に構成され、かつ、カバー本体６に左右方向に移動自在に取り付けられ、板状部材７のレンズ部の左右端から左右方向外側に突出する突出部分のうちの少なくとも一方の突出部分７Ａを覆うための覆い部材１２を備えている。【選択図】  図１
0003213892.tif 000002
【実用新案登録請求の範囲】
【請求項１】
レンズ部の前面を覆うカバー部材を備えたカバー部材付きゴーグルであって、
前記カバー部材は、前記ゴーグルに取り付けられるカバー本体と、該カバー本体に形成される開口を閉じるとともに前方を視認可能な材料で構成される板状部材と、を備え、該板状部材は、前記レンズ部の左右端から左右方向外側に突出するように横長状に構成され、かつ、前記カバー本体に左右方向に移動自在に取り付けられ、前記板状部材のレンズ部の左右端から左右方向外側に突出する突出部分のうちの少なくとも一方の突出部分を覆うための覆い部材を備えていることを特徴とするカバー部材付きゴーグル。
【請求項２】
前記カバー本体が、前記ゴーグルにホック又は面ファスナーにより着脱自在に取り付けられていることを特徴とする請求項１に記載のカバー部材付きゴーグル。
【請求項３】
前記カバー本体の両端部のそれぞれに、前記板状部材を左右方向に移動自在に支持させるための貫通孔を形成していることを特徴とする請求項１又は２に記載のカバー部材付きゴーグル。
【請求項４】
両眼の前方に位置して該両眼を保護するための眼用保護具であって、
顔に保持される保持部材と、該保持部材に形成されている開口を閉じるとともに前方を視認可能な材料で構成される板状部材と、を備え、該板状部材は、前記開口の左右幅よりも長い寸法を有する横長状に構成され、かつ、前記保持部材に左右方向に移動自在に取り付けられ、前記板状部材の保持部材の開口の左右端から左右方向外側に突出する突出部分のうちの少なくとも一方の突出部分を覆うための覆い部材を備えていることを特徴とする眼用保護具。
【請求項５】
前記保持部材の両端部のそれぞれに、前記板状部材を左右方向に移動自在に支持させるための貫通孔を形成していることを特徴とする請求項４に記載の眼用保護具。
【考案の詳細な説明】
【技術分野】
【０００１】
本考案は、ゴーグルのレンズ部を保護するためのカバー部材付きゴーグル及び両眼を保護するための眼用保護具に関する。
【背景技術】
【０００２】
従来から、塗装作業、サンディング作業、溶接作業の際には、作業者の顔にゴーグルを装着して両眼を保護するようにしている。ところで、吹き付け塗装作業の時に、噴射した塗料の一部がゴーグルのレンズ部に付着して早期に前方が見えなくなってしまうことがある。その際には、作業を一旦中断して付着した塗料を吹き取る作業をしなければならず、作業ロスになってしまう。そこで、ゴーグルのレンズ部に剥離可能な保護フィルムを複数枚貼り付け、保護フィルムが塗料で汚れる度に、保護フィルムを１枚ずつ剥がして作業を続行することができるようにしている（例えば、特許文献１参照）。
【先行技術文献】
【特許文献】
【０００３】
【特許文献１】特開平８−５２１７１号公報
【考案の概要】
【考案が解決しようとする課題】
【０００４】
上記特許文献１では、保護フィルムが透明であるものの、複数枚の保護フィルムを重ねて貼り付ける構成である。そのため、保護フィルムを多く貼り付ければ貼り付けるほど、透明性が低下して前方の視界が悪くなるという不都合があるだけでなく、例えば塗料が付着して汚れた最上部に位置する保護フィルムを剥がす際に、その下の保護フィルムが一緒に剥がされないように慎重に剥がさなければならず、作業の中断時間が長くかかるという不都合もあった。
【０００５】
そこで、本考案は、かかる事情に鑑みてなされたもので、透明性が低下することがなく、しかも作業の中断時間を短くして作業を直ちに続行することができるカバー部材付きゴーグル及び眼用保護具を提供することを課題とする。
【課題を解決するための手段】
【０００６】
本考案に係るカバー部材付きゴーグルは、レンズ部の前面を覆うカバー部材を備えたカバー部材付きゴーグルであって、前記カバー部材は、前記ゴーグルに取り付けられるカバー本体と、該カバー本体に形成される開口を閉じるとともに前方を視認可能な材料で構成される板状部材と、を備え、該板状部材は、前記レンズ部の左右端から左右方向外側に突出するように横長状に構成され、かつ、前記カバー本体に左右方向に移動自在に取り付けられ、前記板状部材のレンズ部の左右端から左右方向外側に突出する突出部分のうちの少なくとも一方の突出部分を覆うための覆い部材を備えていることを特徴としている。
【０００７】
上記のように、カバー本体に形成されている開口を閉じる板状部材が、レンズ部の左右端から左右方向外側に突出するように横長状に構成され、かつ、カバー本体に左右方向に移動自在に取り付けられているので、板状部材が汚れて前方が見づらくなった場合には、覆い部材で覆われて汚れていない板状部材の突出部分の一部がゴーグルのレンズ部側に位置するように板状部材を左右方向に移動させるだけで、前方が見える状態にすることができ、作業を直ちに続行することができる。しかも、板状部材が前方を視認可能な材料で構成されているので、ゴーグルのレンズ部から板状部材を介して前方を視認することができ、透明性が低下することがない。
【０００８】
また、本考案に係るカバー部材付きゴーグルは、前記カバー本体が、前記ゴーグルにホック又は面ファスナーにより着脱自在に取り付けられていてもよい。
【０００９】
上記のように、カバー本体がゴーグルにホック又は面ファスナーにより着脱自在に取り付けられていれば、ゴーグルを覆う必要のない時に、カバー本体をゴーグルから取り外してゴーグルのみを顔に装着して使用することができる。また、カバー本体及びゴーグルのうちの一方が破損した場合に、破損した方を取り換えるだけで済む。
【００１０】
また、本考案に係るカバー部材付きゴーグルは、前記カバー本体の両端部のそれぞれに、前記板状部材を左右方向に移動自在に支持させるための貫通孔を形成していてもよい。
【００１１】
上記のように、カバー本体の両端部に形成された貫通孔に板状部材を差し込むだけで、板状部材をカバー本体に左右方向に移動自在にセットすることができる。
【００１２】
また、本考案に係る眼用保護具は、両眼の前方に位置して該両眼を保護するための眼用保護具であって、顔に保持される保持部材と、該保持部材に形成されている開口を閉じるとともに前方を視認可能な材料で構成される板状部材と、を備え、該板状部材は、前記開口の左右幅よりも長い寸法を有する横長状に構成され、かつ、前記保持部材に左右方向に移動自在に取り付けられ、前記板状部材の保持部材の開口の左右端から左右方向外側に突出する突出部分のうちの少なくとも一方の突出部分を覆うための覆い部材を備えていることを特徴としている。
【００１３】
上記のように、保持部材に形成されている開口を閉じる板状部材が、開口の左右幅よりも長い寸法を有する横長状に構成され、かつ、保持部材に左右方向に移動自在に取り付けられているので、板状部材が汚れて前方が見づらくなった場合には、覆い部材で覆われて汚れていない板状部材の突出部分の一部がゴーグルのレンズ部側に位置するように板状部材を左右方向に移動させるだけで、前方が見える状態にすることができ、作業を直ちに続行することができる。しかも、板状部材が前方を視認可能な材料で構成されているので、透明性が低下することがない。
【００１４】
また、本考案に係る眼用保護具は、前記保持部材の両端部のそれぞれに、前記板状部材を左右方向に移動自在に支持させるための貫通孔を形成していてもよい。
【００１５】
上記のように、保持部材の両端部に形成された貫通孔に板状部材を差し込むだけで、板状部材を保持部材に左右方向に移動自在にセットすることができる。
【考案の効果】
【００１６】
以上の如く、本考案によれば、前方を視認可能な材料で構成される板状部材を左右方向に移動自在に構成することによって、汚れた部分を汚れていない部分に変更することができるので、透明性が低下することがなく、しかも作業の中断時間を短くして作業を直ちに続行することができるカバー部材付きゴーグル及び眼用保護具を提供することができる。
【図面の簡単な説明】
【００１７】
【図１】カバー部材付きゴーグルの正面図である。
【図２】カバー部材付きゴーグルの背面図である。
【図３】カバー部材付きゴーグルの平面図である。
【図４】図２におけるＩＶ−ＩＶ線断面図である。
【図５】眼用保護具の正面図である。
【図６】眼用保護具の背面図である。
【図７】眼用保護具の平面図である。
【図８】図６におけるＶＩＩＩ−ＶＩＩＩ線断面図である。
【考案を実施するための形態】
【００１８】
最初に、本考案に係るカバー部材付きゴーグルの実施形態について、図面に基づいて説明する。
【００１９】
図１〜図３に、カバー部材付きゴーグル１を示している。このカバー部材付きゴーグル１は、カバー部材２をゴーグル３に着脱自在に取り付けて構成されている。
【００２０】
ゴーグル３は、合成樹脂製で無色透明なレンズ部４と、顔に装着した時のレンズ部４の上端と顔との間に発生する隙間を埋めるように該レンズ部４に連結される合成樹脂製の天板部５と、を備えている。
【００２１】
レンズ部４は、上から見て前方に突出するように湾曲した１枚のレンズからなり、両眼を覆うことができるようになっている。また、レンズ部４には、左右中央部の下端に中央部ほど上方に位置する略三角形状の切欠き部４Ａを形成している。この切欠き部４Ａが鼻の上に当接することによって、レンズ部４を鼻で支持できるようにしている。天板部５には、上方に突出する３つの凸部５ａを備え、それら凸部５ａそれぞれの後側に外気取入用の開口５ｂが形成されている。尚、天板部５の左右両端部それぞれの後側にも外気取入用の開口５ｃが形成されている。これら開口５ｂ，５ｃは、小さな開口であるため、粉塵や噴霧される塗料等が入るようなことがない。
【００２２】
カバー部材２は、ゴーグル３に装着されるカバー本体６と、カバー本体６に形成されている横長状の開口６Ｋを閉じるとともに前方を視認可能な材料で構成される板状部材７と、を備えている。尚、前記開口６Ｋの大きさ及び形状は、図に示されるものに限定されるものではない。
【００２３】
カバー本体６は、ベルポーレン等の可撓性を有する硬質シート（各種の合成樹脂や硬質の紙等から構成してもよい）からなり、ゴーグル３のレンズ部４の略全体を覆う大きさに構成されているが、レンズ部４の一部を覆う大きさに構成されていてもよい。カバー本体６は、具体的には、レンズ部４の前方に位置する略長方形状の本体部６Ａと、本体部６Ａの上端から後方に延びる天板部６Ｂと、本体部６Ａの左右両端それぞれから斜め後方へ延びる左右板部６Ｃ，６Ｄと、を備えている。左右板部６Ｃ，６Ｄは後方側ほど上下幅が狭くなる台形状に構成され、左右板部６Ｃ，６Ｄと本体部６Ａとの境界部（カバー本体６の左右方向両端部）に板状部材７を左右方向に移動自在に支持させるための縦長の一対の貫通孔６Ｅ，６Ｅを形成している。また、本体部６Ａの裏面には、カバー本体６の開口６Ｋと同じ大きさの開口８Ａが形成された横長状の板部材８を備えている。この板部材８の上下端部とこれに対応する本体部６Ａの裏面との間に、図３及び図４に示すように、板状部材７を挿入可能な隙間を形成するための上下一対の間隔調整部材Ｈ，Ｈを備えており、これら３つの部材、つまり本体部６Ａ、間隔調整部材Ｈ，Ｈ、板部材８が縫い付けられて一体化されている。この板部材８は、本体部６Ａよりも一回り小さな寸法に構成され、本体部６Ａと同様にベルポーレン等の可撓性を有する硬質シート（各種の合成樹脂や硬質の紙等から構成してもよい）から構成されている。この板部材８と本体部６Ａとの隙間に板状部材７を差し込んで板状部材７が上下に不測に動くことがないようにしている。左右板部６Ｃ，６Ｄには、長さ調整可能な一対のゴム紐９，９が縫い付けられており、このゴム紐９，９を頭にかけることでカバー部材付きゴーグル１を顔に固定できるようにしている。
【００２４】
また、カバー本体６は、ゴーグル３に対して着脱自在に取り付けられている。具体的には、カバー本体６の天板部６Ｂ及び本体部６Ａに雄型又は雌型のホック１０を取り付け、雄型又は雌型のホック１０に係止する雌型又は雄型のホック１１をゴーグル３の天板部６Ｂ及びレンズ部４に取り付けている。カバー本体６がゴーグル３にホック１０，１１により着脱自在に取り付けられていれば、ゴーグル３を覆う必要のない時に、カバー本体６をゴーグル３から取り外してゴーグル３のみを顔に装着して使用することができる。また、カバー本体６又はゴーグル３の一方が破損した場合に、破損した方を取り換えるだけで済む。
【００２５】
板状部材７は、透明なアセチロイドから構成されているが、各種の合成樹脂等から構成してもよい。また、板状部材７は、レンズ部４の左右端から左右方向外側に突出するように横長状に構成され、かつ、カバー本体６に形成の貫通孔６Ｅ，６Ｅに挿通させることで左右方向に移動自在に取り付けられ、板状部材７のレンズ部４の左右端から左右方向外側に突出する一方の突出部分７Ａを覆うための覆い部材１２を備えている。
【００２６】
板状部材７は、横方向に長い長方形状に構成され、板状部材７の長さを、レンズ部４の左右長さに対して１．５倍から３倍までの間の範囲の任意の長さに設定することが好ましい。図１〜図３では、板状部材７の一端側をレンズ部４の左右方向一方側に多く突出させ、かつ、板状部材７の他方側を指で掴める程度にレンズ部４の左右方向他方側に少し突出させている。そして、多く突出させた板状部材７の一端側の突出部分７Ａを覆い部材１２で覆って、粉塵や噴霧される塗料等が板状部材７の突出部７Ａに付着しないようにしている。
【００２７】
覆い部材１２は、ポリエチレンから構成されているが、各種の合成樹脂で構成することができる。また、覆い部材１２は、板状部材７の４つの面を覆うことができるように角筒状に構成されている。この覆い部材１２のカバー本体６側の一端部が、カバー本体６に形成の一方の貫通孔６Ｅに貫通した状態で固定されている。尚、覆い部材１２のカバー本体６から離間する他端は、閉じられていてもよいし、開放状態であってもよい。
【００２８】
上記のように構成されたカバー部材付きゴーグル１を顔に装着して、例えば塗料の吹き付け作業を行っていると、カバー部材２に備える板状部材７の表面に吹き付けられて浮遊している塗料が付着していく。そして、視界が悪くなると、作業者は、板状部材７の他方側を指で掴んで左右方向外側へ直ちに移動させて、汚れていない一方側の板状部材７を開口６Ｋ内へ移動させる。これによって、作業者は塗料の吹付け作業を続行させることができる。尚、板状部材７を移動させる移動量は、作業者によって異なり、開口６Ｋの全体が汚れていない板状部材７で構成されるように板状部材７を移動させてもよいし、開口６Ｋの一部のみが汚れていない板状部材７で構成されるように板状部材７を移動させてもよい。
【００２９】
次に、本考案に係る眼用保護具の実施形態について説明する。眼用保護具は、両眼の前方に位置して両眼を保護するためのものである。具体的には、図５〜図７に示すように、眼用保護具１３は、顔に保持される保持部材１４と、保持部材１４に形成されている開口１４Ｋを閉じるとともに前方を視認可能な材料で構成される板状部材１５と、を備え、板状部材１５は、開口１４Ｋの左右幅よりも長い寸法を有する横長状に構成され、かつ、保持部材１４に左右方向に移動自在に取り付けられ、板状部材１５の保持部材１４の開口１４Ｋの左右端から左右方向外側に突出する突出部分のうちの一方の突出部分１５Ａを覆うための覆い部材１６を備えている。
【００３０】
保持部材１４は、ベルポーレン等の可撓性を有する硬質シート（各種の合成樹脂や硬質の紙等から構成してもよい）からなり、両眼及び両眼の周辺を覆うことができる大きさに構成されている。具体的には、保持部材１４は、両眼の前方に位置する略長方形状に構成され、かつ、左右中央部下部に鼻受け部としての逆三角形状の切欠き部１４ａが形成された本体部１４Ａと、本体部１４Ａの左右両端それぞれから斜め後方へ延びる左右板部１４Ｂ，１４Ｃと、を備えている。左右板部１４Ｂ，１４Ｃは後方側ほど上下幅が狭くなる略台形状に構成され、左右板部１４Ｂ，１４Ｃと本体部１４Ａとの境界部（本体部１４Ａの左右方向両端部）に板状部材１５を左右方向に移動自在に支持させるための縦長の一対の貫通孔１４Ｄ，１４Ｄを形成している。また、本体部１４Ａの裏面には、保持部材１４の開口１４Ｋと同じ大きさの開口１７Ａが形成された横長状の板部材１７を備えている。この板部材１７の上下端部とこれに対応する本体部１４Ａの裏面との間に、図７及び図８に示すように、板状部材１５を挿入可能な隙間を形成するための上下一対の間隔調整部材Ｈ，Ｈを備えており、これら３つの部材、つまり本体部１４Ａ、間隔調整部材Ｈ，Ｈ、板部材１７が縫い付けられて一体化されている。この板部材１７は、保持部材１４と同様にベルポーレン等の可撓性を有する硬質シート（各種の合成樹脂や硬質の紙等から構成してもよい）から構成されている。この板部材１７と本体部１４Ａとの隙間に板状部材１５を差し込んで板状部材１５が上下に不測に動くことがないようにしている。左右板部１４Ｂ，１４Ｃには、長さ調整可能な一対のゴム紐１８，１８が取り付けられており、これらゴム紐１８，１８で眼用保護具１３を顔に固定するようにしている。
【００３１】
板状部材１５は、透明なアセチロイドから構成されているが、各種の合成樹脂等から構成してもよい。また、板状部材１５は、保持部材１４の開口１４Ｋの左右幅よりも長い寸法を有する横長状に構成され、かつ、保持部材１４に形成の貫通孔１４Ｄ，１４Ｄに挿通させることで左右方向に移動自在に取り付けられている。
【００３２】
板状部材１５は、横方向に長い長方形状に構成され、板状部材１５の長さを、保持部材１４の開口１４Ｋの左右幅寸法に対して１．５倍から３倍までの間の範囲の任意の長さに設定することが好ましい。図５〜図７では、板状部材１５の一端側を保持部材１４の開口１４Ｋの左右方向一端から左右方向一方側に多く突出させ、かつ、板状部材１５の他方側を指で掴める程度に保持部材１４の開口１４Ｋの左右方向他端から少し突出させている。そして、多く突出させた板状部材１５の一端側を覆い部材１６で覆って、粉塵や噴霧される塗料等が板状部材１５に付着しないようにしている。
【００３３】
覆い部材１６は、ポリエチレンから構成されているが、各種の合成樹脂で構成することができる。また、覆い部材１６は、板状部材１５の４つの面を覆うことができるように角筒状に構成されている。この覆い部材１６の保持部材１４側の一端部が、保持部材１４に形成の一方の貫通孔１４Ｄに固定されている。尚、覆い部材１６の保持部材１４から離間する他端は、閉じられていてもよいし、開放状態であってもよい。
【００３４】
上記のように構成された眼用保護具１３を顔に装着して、例えば塗料の吹き付け作業を行っていると、保持部材１４に備える板状部材１５の表面に浮遊している塗料が付着していく。そして、視界が悪くなると、作業者は、板状部材１５の他方側を指で掴んで左右方向外側へ直ちに移動させて、汚れていない一方側の板状部材１５を開口１４Ｋ内へ移動させる。これによって、作業者は塗料の吹付け作業を続行させることができる。尚、板状部材１５を移動させる移動量は、作業者によって異なり、開口１４Ｋの全体が汚れていない板状部材１５で構成されるように板状部材１５を移動させてもよいし、開口１４Ｋの一部のみが汚れていない板状部材１５で構成されるように板状部材１５を移動させてもよい。
【００３５】
尚、本考案は、前記実施形態に限定されるものではなく、本考案の要旨を逸脱しない範囲で種々の変更が可能である。
【００３６】
前記実施形態では、カバー部材付きゴーグル及び眼用保護具を、塗料の吹き付け作業に使用したが、サンディング作業や溶接作業にも使用することができる。また、眼用保護具をそのまま顔面に装着して単独で使用する他、各種のヘルメットやフルフェイス呼吸マスクを装着し、それらの前面に備える透明なフェイスシールドを覆うように眼用保護具を装着した上で使用することもできる。尚、各種のヘルメットには、顎ガードありのフルフェイスヘルメットや顎ガードなしの簡易型のジェットヘルメット等がある。
【００３７】
また、前記実施形態では、カバー部材２とゴーグル３とをホック１０，１１を用いて着脱自在に取り付けたが、面ファスナー、ボタン、スライドファスナ等で取り付けてもよい。カバー部材２とゴーグル３とが取り外し不能となるように、両者を取り付けてもよい。
【００３８】
また、前記実施形態では、板状部材７又は１５を無制限に左右方向に移動できる構成であったが、一定量ずつ移動できる機構を備えさせて実施してもよい。また、板状部材７又は１５に手が当たったくらいでは移動しない程度のブレーキ機構を備えて実施することもできる。
【００３９】
また、前記実施形態では、カバー部材付きゴーグル１において、カバー部材２側にゴム紐９，９を備えたが、ゴーグル３側にゴム紐又はベルトを備えてもよい。
【００４０】
また、前記実施形態では、板状部材７又は１５のレンズ部の左右端から左右方向外側に突出する突出部分のうちの一方の突出部分７Ａ又は１５Ａのみを覆うための覆い部材１２又は１６を備えた構成であったが、他方の突出部分を覆うための覆い部材も備えて実施してもよい。このように、両方の突出部分を覆う場合には、例えば両方の突出部分を略同一長さに構成し、顔の前方に位置する板状部材７又は１５の中央部分が汚れる度に、一方の突出部分を他方へ移動させた後、他方の突出部分を一方へ移動させる、つまり汚れていない両方の突出部分のそれぞれを中央部へ移動させるようにしてもよい。
【符号の説明】
【００４１】
１…カバー部材付きゴーグル、２…カバー部材、３…ゴーグル、４…レンズ部、４Ａ…切欠き部、５…天板部、５ａ…凸部、５ｂ，５ｃ…開口、６…カバー本体、６Ａ…本体部、６Ｂ…天板部、６Ｃ，６Ｄ…左右板部、６Ｅ…貫通孔、６Ｋ…開口、７…板状部材、７Ａ，７Ｂ…突出部分、８…板部材、８Ａ…開口、９…ゴム紐、１０，１１…ホック、１２…覆い部材、１３…眼用保護具、１４…保持部材、１４ａ…切欠き部、１４Ａ…本体部、１４Ｂ，１４Ｃ…左右板部、１４Ｄ…貫通孔、１４Ｋ…開口、１５…板状部材、１５Ａ…突出部分、１６…覆い部材、１７…板部材、１７Ａ…開口、１８…ゴム紐、Ｈ…間隔調整部材
【図１】
0003213892.tif 000003
【図２】
0003213892.tif 000004
【図３】
0003213892.tif 000005
【図４】
0003213892.tif 000006
【図５】
0003213892.tif 000007
【図６】
0003213892.tif 000008
【図７】
0003213892.tif 000009
【図８】
0003213892.tif 000010